(57)【特許請求の範囲】
【請求項１】
耳介の大きさに合わせてスライド可能な耳掛け用のアーム部を有し耳介に装着され得るヘッドホンにおいて、
スピーカを備えた第１の筐体部と、
前記アーム部を有し前記第１の筐体部に形成された摺動面に沿ってスライド可能とされた第２の筐体部とを備え、
前記アーム部は、前記ヘッドホンが装着された前記耳介の少なくとも耳輪脚に対応する位置を含み前記耳介に沿う形状で形成され、
前記摺動面は、前記ヘッドホンが使用者の耳介に装着された際に、少なくとも前記耳輪脚に対応する位置から少なくとも耳甲介まで達し、前記摺動面を含む面が前記使用者の頭部と交わるように設定されていることを特徴とするヘッドホン。
【請求項２】
前記第１の筐体部と前記第２の筐体部の前記摺動面における接触面積は、前記第２の筐体部が前記耳輪脚から前記耳甲介に向かってスライドするに従って大きくなることを特徴とする請求項１に記載のヘッドホン。
【請求項３】
前記摺動面は、前記使用者が直立した状態において、天側に向かうに従って前方に傾斜するよう形成されていることを特徴とする請求項１または２に記載のヘッドホン。
【請求項４】
前記第１の筐体部は、前記ヘッドホンを使用者の耳介に装着した際に外耳道に進入する突起部を備えていることを特徴とする請求項１〜３のいずれか１項に記載のヘッドホン。
【発明の詳細な説明】
【技術分野】
【０００１】
本発明は、ヘッドホンに係り、特に、耳掛け用のハンガーを備えたヘッドホンに関する。
【背景技術】
【０００２】
携帯音楽再生装置の普及に伴い、その装置に接続して音楽を鑑賞するヘッドホン市場も拡大してきている。
ヘッドホンの形態において、スピーカを備えた本体部を耳介の内側に装着する所謂インナーイヤータイプとされ、さらに耳介に掛けるための耳掛け用のハンガーを備えたものが知られている。
この耳掛け用のハンガーを備えたインナーイヤータイプのヘッドホンは、ハンガーを備えないものと比べて、耳介によりしっかりと装着される。例えば、使用者が運動をしても、また、コードが意図せず引っ張られたとしても脱落し難いなどの特徴がある。
【０００３】
また、耳介の大きさは個人差が大きいので、耳介の大きさによらず良好に装着できるように、本体部に対してハンガーをスライド自在としたものも知られており、一例が特許文献１に記載されている。
【先行技術文献】
【特許文献】
【０００４】
【特許文献１】特開平１０−２４３４９２号公報
【発明の概要】
【発明が解決しようとする課題】
【０００５】
ところで、特許文献１に記載されたような従来のハンガー付きのヘッドホン１０１は、本体部１０２に対してハンガー部１０３がスライド可能な構造とされているものの、ハンガー部１０３において耳介に当接させるように形成されたアーム部１０３ａが、耳介ＥＲを包み込む形状にはなっていないものであった。
【０００６】
具体的には、図７に模式的に示すように、アーム部１０３ａ（特許文献１では棒状部４ａと記載されている）は、耳介ＥＲの後方側及び天頂側に当接する部分（図７のＡＲ１０３の範囲で示す）を有するものの、耳介ＥＲの前方側である耳輪脚ＥＲ１に及んでそれを含んで包むようには形成されてない。
従って、耳介ＥＲの大きさに合わせて本体部１０１に対するアーム部１０３ａの位置を図７の矢印ＤＲ１０１の方向に移動できるものの、耳輪脚ＥＲ１まで含めて包まれるようになっていないので、良好な装着感が得にくい場合があった。
【０００７】
そこで、本発明が解決しようとする課題は、本体部に対しアーム部を装着する耳介の大きさに合わせて移動可能とするスライド機構を有しつつ耳介への良好な装着感が得られるヘッドホンを提供することにある。
【課題を解決するための手段】
【０００８】
上記の課題を解決するために、本願発明は手段として次の１）〜４）の構成を有する。
１）  耳介(ER)の大きさに合わせてスライド可能な耳掛け用のアーム部(22)を有し耳介(ER)に装着され得るヘッドホン(50)において、
スピーカ(41)を備えた第１の筐体部(10)と、
前記アーム部(22)を有し前記第１の筐体部(10)に形成された摺動面(11c)に沿ってスライド可能とされた第２の筐体部(20)とを備え、
前記アーム部(22)は、前記ヘッドホン(50)が装着された前記耳介(ER)の少なくとも耳輪脚(ER1)に対応する位置を含み前記耳介(ER)に沿う形状で形成され、
前記摺動面(11c)は、前記ヘッドホン(50)が使用者の耳介(ER)に装着された際に、少なくとも前記耳輪脚(ER1)に対応する位置から少なくとも耳甲介まで達し、前記摺動面(11c)を含む面(PL)が前記使用者の頭部と交わるように設定されていることを特徴とするヘッドホン(50)である。
２）前記第１の筐体部(10)と前記第２の筐体部(20)の前記摺動面(11c)における接触面積は、前記第２の筐体部(20)が前記耳輪脚(ER1)から前記耳甲介に向かってスライドするに従って大きくなることを特徴とする１）に記載のヘッドホン(50)である。
３）  前記摺動面(11c)は、前記使用者が直立した状態において、天側に向かうに従って前方に傾斜するよう形成されていることを特徴とする１）または２)に記載のヘッドホン(50)である。
４）  前記第１の筐体部(10)は、前記ヘッドホン(50)を使用者の耳介(ER)に装着した際に外耳道に進入する突起部(12b1)を備えていることを特徴とする１）〜３）のいずれかに記載のヘッドホン(50)である。
【発明の効果】
【０００９】
本発明によれば、本体部に対しアーム部を装着する耳介の大きさに合わせて移動可能とするスライド機構を有しつつ耳介への良好な装着感が得られる、という効果を奏する。
【図面の簡単な説明】
【００１０】
【図１】本発明のヘッドホンの実施例を示す外観斜視図である。
【図２】本発明のヘッドホンの実施例の一の状態を示す平面図である。
【図３】本発明のヘッドホンの実施例の二の状態を示す平面図である。
【図４】本発明のヘッドホンの実施例の構造を説明するための一部断面図である。
【図５】本発明のヘッドホンの実施例の構造を説明するための要部斜視図である。
【図６】本発明のヘッドホンの実施例における装着状態を説明するための平面図である。
【図７】従来のヘッドホンを説明するための平面図である。
【発明を実施するための形態】
【００１１】
本発明の実施の形態を、好ましい実施例により図１〜図６を用いて説明する。
【００１２】
図１は、本発明のヘッドホンの実施例を示す外観斜視図である。
この図１は、そのヘッドホン５０を音の放出方向側から見た斜視図であり、詳しくは、ヘッドホン５０を左耳に装着した際の、頭内部の後方側から見た斜視図である。
図２は、ヘッドホン５０を音の放出方向側から見た平面図である。この図２において、ヘッドホン５０は、紙面上下方向が、このヘッドホン５０を使用者が耳に装着して直立した際の天地方向に対応する姿勢で描かれている。
【００１３】
実施例のヘッドホン５０は左耳用である。右耳用のヘッドホンは対称形状となるので、以下の説明では、この左耳用のヘッドホン５０を説明する。
【００１４】
図１及び図２において、ヘッドホン５０は、本体部１０と、本体部１０に対してスライド面ＰＬ（図２参照）と平行な方向にスライド可能とされた耳掛け部２０と、を有して構成されている。すなわち、概略第１の筐体部（本体部１０）に対して第２の筐体部（耳掛け部２０）がスライド可能とされている。
図２に示されるように、スライド面ＰＬは、ヘッドホン５０を耳に装着した際に、頭部に対して略直交する面であって、天側に向かうに従って前方に傾斜する面として設定されている。
【００１５】
また、耳介へ装着した状態において、水平ライン（グランドライン）ＧＬに対して、図２に示される角度θｇが所定の角度となるように基本的に設定される。所定の角度θｇは、５０°であり、５０°±１０°の範囲で形成されることが望ましい。耳介へ装着した状態において、耳介が比較的小さい場合は角度θｇが５０°より大きくなる傾向にあり、比較的大きい場合は角度θｇが５０°より小さくなる傾向にある。
【００１６】
本体部１０は、細長状のスライドハウジング（以下、Ｓハウジングとする）１１ａを有するスライド筐体部１１と、放音ハウジング（以下、Ｈハウジングとする）１２ａを有しスライド筐体部１１ａの一方の端部（図１の下方側の端部）側において、Ｓハウジング１１ａの長手方向と概ね直交し且つスライド面ＰＬと概ね平行なる方向に突出した放音筐体部１２と、を備えている。
【００１７】
Ｓハウジング１１ａの内部には、スライド係止部ＳＫ（図４参照）が設けられている。
【００１８】
Ｈハウジング１２ａの内部には、スピーカユニット４１（図１参照）が収められている。また、Ｈハウジング１２ａの大径側端面には、スピーカユニット４１からの音を外部に放出するための小さな放音孔１２ａ１が複数設けられている。
【００１９】
また、Ｈハウジング１２ａの大径側には、軟らかい材料で形成されたイヤーピース１２ｂが装着されている。
イヤーピース１２ｂは、このヘッドホン５０を左耳の耳介に装着した際に、一部が外耳道の内部に進入する筒状の突起部１２ｂ１を有している。この突起部１２ｂ１の貫通孔からも、スピーカユニット４１の出力音声が外部に放出される。
また、突起部１２ｂ１の外側面１２ｂ２が、外耳道の壁面に当接するようになっている。
【００２０】
スライド筐体部１１の一方の端部側には、一端側がスピーカユニット４１に接続されたコード４２を引き出すためのコード引き出し部ＫＨが設けられている。
コード引き出し部ＫＨには、Ｓハウジング１１ａの外形と連続性を有する外形で形成されたブッシング１３が設けられている。
【００２１】
尚、ブッシング１３を設けずに、ブッシング１３の形状を、Ｓハウジング１１ａを延長させて形成してもよい。
【００２２】
コード引き出し部ＫＨにおけるコード４２の引き出し方向ＣＬ１（図２参照）は、スライド面ＰＬに対して所定の角度θａとされる。
所定の角度θａは、１２０°であり、１２０°±１０°の範囲で形成するのが望ましい。
従って、ヘッドホン５０を左耳に装着した際のコード４２の引きだし方向ＣＬ１は、水平ラインＧＬに対して下前方に傾斜した方向となる。
装着状態では、耳垂ＥＲ５（図６参照）の表面に沿ってコード４２が引き出される傾斜方向となる。
【００２３】
耳掛け部２０は、スライド面ＰＬにおいて、本体部１０のスライド筐体部１１ａに対応した外形を有し細長で扁平に形成されたスライド基部２１と、スライド基部２１の一端側（図２の上方側）から耳介ＥＲの外形に沿った形状に形成されたアーム部２２と、を有して構成されている。
【００２４】
スライド基部２１は、Ｓハウジング１１ａと係合して、Ｓハウジング１１ａに対しスライド面ＰＬ上をスライド可能とされている。
また、スライド面ＰＬを越えてＳハウジング１１ａ内に進入する弾性係合部ＤＫが設けられている（図４参照）。
【００２５】
アーム部２２は、弾性を有して形成されており、図２の矢印ＤＲ２方向に弾性変形可能となっている。
アーム部２２の形状及び材質は、ヘッドホン５０の放音筐体部１２を耳介ＥＲに装着した状態で、耳介ＥＲを後方側から心地よく付勢する弾性反発力が発揮されるように設定されている。例えば可撓性を有する樹脂材を基材として形成し、それを覆うようにさらにゴム材の層を表面に形成してもよい。
【００２６】
スライド基部２１は、スライド筐体部１１に対して所定の範囲内をスライド面ＰＬ上にスライド可能とされている。
図２は、スライド基部２１をスライド筐体部１１に対して最も地側に位置させた状態を示す。
図３は、スライド基部２１を矢印ＤＲ３方向に移動させてスライド筐体部１１に対して最も天側に位置させた状態を示す。
【００２７】
図３に示す距離Ｌ１が、スライド基部２１のスライド筐体部１１に対するスライド可能な距離である。
また、アーム部２２の内側面における最も天側の部位をアーム天頂部位ＴＢとすると、図３に示すように、アーム天頂部位ＴＢの位置は、このスライド移動により、スライド面ＰＬと平行な線分ＴＢＬを軌跡として描く。
実施例では、アーム部２２全体がこの線分ＴＢＬと平行な線分を軌跡とする。
すなわち、アーム部２２において、図２に二点鎖線で示す範囲ＡＲ２２が、そのまま平行移動するようにスライドする。
【００２８】
次に、スライド係止部ＳＫ及び弾性係合部ＤＫについて図４及び図５を用いて詳述する。
【００２９】
図４は、スライド筐体部１１の断面と、耳掛け部２０の平面外観とを組み合わせた平面図であり、耳掛け部２０を最も地側に移動させた状態を示している。
すなわち、図２の状態に対応する。
【００３０】
図４において、スライド筐体部１１におけるＳハウジング１１ａ内には、スライド面ＰＬに沿う方向に複数の凸部１１ｂが設けられている。
実施例において、凸部１１ｂは、略三角の山状とされている。
隣接する凸部１１ｂ間は、相対的に凹状を呈し、後述する係止部１１ｂ１となる。
【００３１】
Ｓハウジング１１ａにおいてスライド面ＰＬに位置すると共にスライド基部２１に対し摺動する摺動面１１ｃには、スライド面ＰＬ方向の長さＬ２でＳハウジング１１ａの長手方向に沿って開口する開口部１１ｄが形成されている。
【００３２】
図５は、スライド基部２１の一端（図４の下方側）部を、図４の紙面奧の下方側から見上げる視線で描いた斜視図である。
【００３３】
図５にも示すように、スライド基部２１においてスライド面ＰＬに位置すると共にＳハウジング１１ａに対し摺動する摺動面２１ａには、弾性係合部ＤＫが立設されている。
【００３４】
弾性係合部ＤＫは、摺動面２１ａに連結して突出する支柱部２１ｂと、支柱部２１ｂより大きな外形を有して支柱部２１ｂに支持される係合部２１ｃとを有して構成されている。
【００３５】
図５に詳しく示されるように、係合部２１ｃは、支柱部２１ｂに連結された基部２１ｃ１と、基部２１ｃ１の長手方向の両端から立ち上げられた連結壁２１ｃ２，２１ｃ３と、基部２１ｃ１から離隔した位置で連結壁２１ｃ２，２１ｃ３を連結する梁部２１ｃ４とを有している。
梁部２１ｃ４は、摺動面２１ａと平行な面内でジグザグ状に形成されている。
これにより、梁部２１ｃ４の限られた長手方向距離Ｌ３に対し、摺動面２１ａに対して直交する方向（図５の矢印ＤＲ４方向）のより大きな弾性変形量を得ることができる。
梁部２１ｃ４には、中央付近に蒲鉾状に突出する係合凸部２１ｃ５が形成されている。
【００３６】
係合凸部２１ｃ５は、図４に示されるようにスライド係止部ＳＫに係合し、係合凸部２１ｃ５が凸部１１ｂ間の係止部１１ｂ１に嵌り込んだ状態で係止され、外部からの力で凹部１１ｂ１から脱出し凸部１１ｂを乗り越える際に、変形した梁部２１ｃ４の弾性反発力によって抗力（クリック感）が発生する。
外部からの力は、使用者の指などにより、スライド筐体部１１に対してスライド基部２１を移動させるよう付与される。
【００３７】
実施例のヘッドホン５０によれば、耳介ＥＲに対するアーム部２２の位置調整に際し、ネジなどを緩めることなく、また、アーム部２２を所望の位置で保持させるためのロック部材を操作することなく、単に耳掛け部２０に本体部１０に対して移動するよう力を加えるだけで位置調整ができ、保持もされるので、調整作業が極めて容易で、かつ簡単になっている。
【００３８】
スライド筐体部１１の開口部１１ｄは、スライド基部２１の支柱部２１ｂがほとんどガタなく開口形状に沿って移動可能とされ、係合部２１ｃが通過できないように形成されている。
従って、Ｓハウジング１１ａを、例えば、図４に示すように、紙面奧側と手前側とで二分した構成とし、二分した一方のハウジングにスライド基部２１を嵌め込んだ後他方のハウジングを被せて係合部２１ｃを内部に収容した状態で両ハウジングを固定することで、スライド基部２１はスライド筐体部１１と一体化される。
【００３９】
スライド基部２１の移動範囲におけるクリック数やクリック感は、凸部１１ｂ及び係止部１１ｂ１の形状寸法と梁部２１ｃ４の変形特性等とにより、所望の数や程度に設定できる。
実施例では、上述のように、梁部２１ｃ４をジグザグ状に形成しているので、梁部２１ｃ４の長手が短くても、良好なクリック感や、充分な係止時保持力が得られるようになっている。
【００４０】
上述した各部材の材料は、合成樹脂材、ゴム材、あるいは金属などを使用することができるが、限定されるものではない。スライド係止部ＳＫや弾性係合部ＤＫにおける弾性変形させる部材については、ＰＯＭ（ポリアセタール）樹脂を用いるとよりよい。
スライド基部２１における支柱部２１ｂ及び係合部２１ｃを除く部位は、表面をゴム質として耳への当たり具合を軟らかくするとよい。
【００４１】
図６（ａ），（ｂ）は、実施例のヘッドホン５０を左の耳介ＥＲに装着した状態を示す平面図である。
図６（ａ）は、大きな耳介に装着した場合であり、耳掛け部２０を、本体部１０に対して最も天側に移動させて装着した状態を示している。
図６（ｂ）は、小さな耳介に装着した場合であり、耳掛け部２０を、本体部１０に対して最も地側に移動させて装着した状態を示している。
【００４２】
図６（ａ），（ｂ）では、ブッシング１３を設けずに、その形状を、Ｓハウジング１１ａを延長して形成した例を示している。
【００４３】
実施例のヘッドホン５０は、スライド筐体部１１に対するスライド基部２１のスライド面ＰＬが、図６（ａ），（ｂ）の紙面に対して奧−手前方向に設定され、その紙面に交わるものとされている。
従って、このヘッドホン５０を装着した状態で、スライド面ＰＬが、頭部表面に沿った方向ではなく、頭部表面と交わる方向の面として設定されている。
【００４４】
また、スライド面ＰＬに対して後方側である耳介側の部材（スライド基部２１）がスライドするようになっている。
これにより、耳掛け部２０の内側である耳介ＥＲに対向する側における範囲ＡＲ２２（図２参照）がそのままスライドして耳掛けに供されるので、ヘッドホン５０は、耳の大小に拘わらず、耳掛け部２０が、耳介ＥＲに対し耳輪脚ＥＲ１を含めて耳介ＥＲを包むように掛けられる。
よって、ヘッドホン５０は装着状態で極めて良好な装着感が得られる。
【００４５】
スライド面ＰＬは、天側が前方側に向かうように傾斜して設定されている。
これにより、耳装着状態において、アーム天頂部位ＴＢが、単に天地方向（鉛直方向）に移動するのではなく、前上方と後下方との間の傾斜方向に移動する。
所謂耳介ＥＲの大きさは、より正確を期すならば、単なる上下方向の長さの大小ではなく、外耳道を中心とした外形全体の拡縮で示される。
実施例のヘッドホン５０のスライド面ＰＬに沿う耳掛け部の移動は、耳介ＥＲの外形の外耳道に対する拡縮方向に概ね対応しているので、この点からも、ヘッドホン５０は、装着状態で耳介ＥＲの大きさに寄らず良好な装着感が得られる。
【００４６】
実施例のヘッドホン５０は、突起部１２ｂ１を備えており、耳への装着状態で、アーム部２２の弾性を利用して耳介ＥＲを外側から付勢することで位置決めされると共に、イヤーピース１２ｂの突起部１２ｂ１が外耳道内に進入してその内壁面に当接して位置決めされる。
つまり、２つの異なる部位で位置決めが成されるので、単にアーム部２２を耳介に掛けて位置決めされる場合よりもより良好に位置決めされて装着される。
これにより、ヘッドホン５０は、装着状態でさらに良好な装着感が得られる。
【００４７】
本発明の実施例は、上述した構成に限定されるものではなく、本発明の要旨を逸脱しない範囲において変形例としてもよいのは言うまでもない。
【符号の説明】
【００４８】
１０  本体部
１１  スライド筐体部
１１ａ  スライドハウジング（Ｓハウジング）
１１ｂ  凸部
１１ｂ１  係止部
１１ｃ  摺動面
１１ｄ  開口部
１２  放音筐体部
１２ａ  放音ハウジング（Ｈハウジング）
１２ｂ  イヤーピース
１２ｂ１  突起部
１３  ブッシング
２０  耳掛け部
２１  スライド基部
２１ａ  摺動面
２１ｂ  支柱部
２１ｃ  係合部
２１ｃ１  基部
２１ｃ２，２１ｃ３  連結壁
２１ｃ４  梁部
２１ｃ５  係合凸部
２２  アーム部
４１  スピーカユニット
４２  コード
５０  ヘッドホン
ＡＲ２２  範囲
ＤＫ  弾性係合部
ＥＲ  耳介
ＥＲ１  耳輪脚
ＫＨ  コード引きだし部
ＰＬ  スライド面
ＳＫ  スライド係止部
ＴＢ  アーム天頂部位
ＴＢＬ  線分（軌跡）
【図１】
0005434521.tif 000002
【図２】
0005434521.tif 000003
【図３】
0005434521.tif 000004
【図４】
0005434521.tif 000005
【図５】
0005434521.tif 000006
【図６】
0005434521.tif 000007
【図７】
0005434521.tif 000008